(57)【特許請求の範囲】
【請求項１】
利用者からの選局指示に従い、選局された映像・音声の提示と共に選局対象のサービスＩＤの画面表示とを行うデジタル放送受信機における選局方法であって、
利用者からの選局指示に従い、受信されたデジタル放送からＰＭＴ情報を取得し、
前記選局指示に従って取得されたＰＭＴ情報の取得の終了を判定し、
前記選局指示に従ってＰＭＴ情報を取得した場合は、画面に表示されているサービスＩＤを前記利用者からの選局指示に従ったサービスＩＤに更新し、その後、オーディオ・ビデオのデコード処理を行い、
前記選局指示に従ったＰＭＴ情報が未取得の場合は、選局処理を行わず前記サービスＩＤの画面表示の更新を行わないことを特徴とするデジタル放送受信機における選局方法。
【発明の詳細な説明】
【０００１】
【発明の属する技術分野】
本発明は、デジタル放送受信機における選局方法に係り、特に、利用者による選局指示が連続してなされた場合に好適に適用することができるものである。
【０００２】
【従来の技術】
デジタル放送受信機は、デジタル放送サービスを受信し、利用者の操作に応じて映像や音声を提示する装置である。このようなデジタル放送受信機のブロック図を図４に示す。
【０００３】
図4において、４０１はチューナおよび復調部、４０２はＴＳ（Ｔｒａｎｓｐｏｒｔ  Ｓｔｒｅａｍ）デコーダ、４０３は映像音声デコーダ（以下、ＡＶデコーダという）、４０４は各部を制御するＣＰＵ、４０６は利用者からの操作を受け取り、映像音声を提示するための選局指示を出す選局指示部である。
【０００４】
以下、動作の説明をする。
【０００５】
選局指示部４０６は、リモコン等によって利用者から出される選局指示を受け取り、ＣＰＵ４０４へと伝える。ＣＰＵ４０４は、ＴＳデコーダ４０２に選局指示を伝えたり、選局指示に対応したサービスＩＤを表示するなどの画面表示（ＯＳＤ）の制御等を行う。チューナおよび復調部４０１は、デジタル放送を受信、復調し、ＴＳデコーダ４０２へ入力する。ＴＳデコーダ４０２は、チューナおよび復調部４０１から受け取ったデータから、ＣＰＵ４０４の指示に応じた放送サービスのＴＳをフィルタリングする。ＴＳのストリームタイプには「映像」、「音声」、「データ」等があるが、ＴＳデコーダ４０２は「映像」、「音声」のストリームをＡＶデコーダ４０３に入力する。ＡＶデコーダ４０３は入力されたストリームをデコードし、利用者に提示する。
【０００６】
【発明が解決しようとする課題】
しかしながら、デジタル放送ではアナログ放送とちがい上述したように、各サービスで必要なＴＳを抜き出しデコードする必要があり、更にデコードにおいても例えば映像ではＭＰＥＧのＩ−ｆｒａｍｅが来てから再生が始まるため、利用者の選局指示から映像が提示されるまでに必要となる時間が長いという問題点がある。
【０００７】
この結果、利用者から連続的に選局指示が出されるような場合は、例えば画面に選局指示に対応するサービスＩＤを表示するときなどにおいて、この表示と提示される映像音声が必ずしも一致しなくなり、安定した放送の提示が出来ないことが考えられる。
【０００８】
このような状態を回避するためには、ＴＳデコーダが行うフィルタリング処理や、ＴＳデコーダからＡＶデコーダへのストリーム入力処理などを中断する必要がある。しかし、これらの処理はハードウェアによって行われることが多く、選局指示の受け取りやその後の選局処理と並列に実行されるので、中断を行うためのタイミングが選局処理の進み具合によって異なり、複雑な中断処理が必要とされる。
【０００９】
本発明はかかる点に鑑み、利用者から連続的に選局指示が行われるような場合にも、複雑な中断処理を必要とせずに、画面表示と映像音声を安定して一致させることが可能なデジタル放送受信機における選局方法を提供することを目的とする。
【００１０】
【課題を解決するための手段】
上記課題を解決するため、本発明は以下のような手段を講じた。
【００１１】
即ち、本発明に係るデジタル放送受信機における選局方法は、利用者からの選局指示に従い、選局された映像・音声の提示と共に選局対象のサービスＩＤの画面表示とを行うデジタル放送受信機における選局方法であって、利用者からの選局指示に従い、受信されたデジタル放送からＰＭＴ情報を取得し、前記選局指示に従って取得されたＰＭＴ情報の取得の終了を判定し、前記選局指示に従ってＰＭＴ情報を取得した場合は、画面に表示されているサービスＩＤを前記利用者からの選局指示に従ったサービスＩＤに更新し、その後、オーディオ・ビデオのデコード処理を行い、前記選局指示に従ったＰＭＴ情報が未取得の場合は、選局処理を行わず前記サービスＩＤの画面表示の更新を行わないことを特徴とする。
【００１２】
これにより、利用者によって連続的に選局指示が出されるような場合において、画面表示と提示される映像音声を安定して一致させることができる。
【００１３】
【発明の実施の形態】
図１は本発明の実施形態であるデジタル放送受信機の構成を示すブロック図である。
【００１４】
図１において、１０１はチューナおよび復調部であり、放送の受信と復調を行う。１０２はＴＳデコーダであり、復調されたデータから、後述するＣＰＵ１０４によって指示されたＴＳのフィルタリングを行う。１０３はＡＶデコーダであり、ＴＳデコーダ１０２から入力されるストリームのデコードと、ＴＶへの映像音声の出力を行う。１０４はＣＰＵであり、選局指示に対応してＴＳデコーダ１０２やＡＶデコーダ１０３への指示や、画面表示の制御等を行う。１０５はＰＭＴ受信終了判定部であり、選局処理の過程において、ＰＭＴの受信が終了したことを後述する選局指示部１０６に伝える。１０６は選局指示部であり、利用者からの選局指示を受け取り、ＣＰＵ１０４へと伝える。
【００１５】
図２は、選局処理が出された直後の画面例を示す。
【００１６】
図２において、２０１は選局指示に対応するサービスＩＤの表示である。これは、利用者によって指示された選局対象のサービスＩＤと一致する。
【００１７】
次に、本実施形態の処理について、図３に示すフローチャートを参照して説明する。尚、以下の説明では、放送の受信と復調はすでに終了している状態にあることを前提とする。
【００１８】
図１のブロック図を参照しながら図３のフローチャートの示す処理について詳細に説明する。
【００１９】
まず、ステップＳ３０１において、利用者からリモコン等により選局指示が出され、これを選局指示部１０６が受け取る。
【００２０】
次に、ステップＳ３０２において、選局指示部１０６は、現在行っている選局処理がある場合は、ＰＭＴ受信終了判定部１０５から、現在行っている選局処理のＰＭＴ受信終了が通知されているかどうかを判定する。この結果、現在行っている選局処理のＰＭＴ受信終了が通知されていない場合は、指示に対する選局処理を行わず、ＰＭＴ受信終了が通知されるまで待つ。
【００２１】
このとき、現在行っている選局処理のＰＭＴ受信終了が通知されているときは、ステップＳ３０３において、選局指示部１０６からＣＰＵ１０４に対して選局指示が出される。この結果、ＣＰＵ１０４はＰＡＴ（Ｐｒｏｇｒａｍ  Ａｓｓｏｃｉａｔｉｏｎ  Ｔａｂｌｅ）を受信するための指示を、ＴＳデコーダ１０２に出す。
【００２２】
次に、ステップＳ３０４において、ＣＰＵ１０４は受信したＰＡＴから、選局指示に対応するサービスのＰＭＴのＰＩＤを取得し、対応するＰＭＴの受信をＴＳデコーダ１０２に指示する。
【００２３】
これによって、ＴＳデコーダ１０２が指示に対応するＰＭＴを受信する。ここで、選局処理のうち、ＰＭＴ受信までが終了することになるので、ステップＳ３０５において、ＰＭＴ受信終了判定部１０５は、選局指示部１０６に対して、現在行っている選局処理のＰＭＴ受信が終了したことを通知する。
【００２４】
また、ステップＳ３０６において、ＣＰＵ１０４は、例えば図２に示したように、選局指示に対応するサービスＩＤを画面表示として表示する。
【００２５】
さらに、ステップＳ３０７において、ＣＰＵ１０４は受信したＰＭＴから選局指示に対応する映像音声のストリームのＰＩＤを取得し、ＴＳデコーダ１０２にこれらの受信を指示する。
【００２６】
次に、ステップＳ３０８において、ＴＳデコーダ１０２はストリームを受信し、ＡＶデコーダ１０３に入力する。
【００２７】
最後に、ステップＳ３０９において、ＡＶデコーダ１０３はストリームをデコードし、映像音声として出力装置へと出力する。これによって、利用者に選局指示に対応する映像音声が提示される。
【００２８】
以上説明した本発明に係る選局方法によれば、ＰＡＴとＰＭＴを取得する必要があるが、デジタル放送のこれらのテーブルの再送周期は１００ｍｓであり、２つ合わせても高々２００ｍｓのウエイトがかかるだけである。
【００２９】
また、ＰＭＴは選択すべき映像音声のＴＳパケットの識別番号を運ぶものである。ＰＭＴを受信しなければ映像音声をセットできないのでこの間は必ずＭＵＴＥ期間となるため、不一致な映像音声を出力する心配もなくなる。
【００３０】
また、ＰＭＴ受信終了判定部１０５でのＰＭＴ受信終了が選局指示部１０６に通知されるまで、利用者によって連続に指示された選局処理を、ＰＭＴの受信までブロックすることが可能になり、この結果、選局指示の情報として選局対象のサービスＩＤの画面表示等と、選局処理の結果として利用者に提示される映像音声を一致することが可能となる。
【００３１】
【発明の効果】
以上説明したように、本発明によれば、選局処理におけるＰＭＴ受信の終了を判定する手段によって、利用者によって連続に指示された選局処理を、ＰＭＴの受信までブロックすることが可能になる。この結果として、画面表示と映像音声を安定して一致させることができる。
【００３２】
ＰＡＴ、ＰＭＴの受信に必要な時間は非常に短いため、利用者に対するレスポンスの低下についても、問題にならないと考えられる。
【００３３】
また、行う処理としては連続した選局処理をブロックしておくだけなので、複雑な中断処理を必要とすることなく、以上の効果を得ることができる。
【図面の簡単な説明】
【図１】本発明に係るデジタル放送受信機の概略構成図である。
【図２】画面表示例である。
【図３】本発明に係る選局方法のフローチャートである。
【図４】従来のデジタル放送受信機の概略構成図である。
【符号の説明】
１０１、４０１  チューナおよび復調部
１０２、４０２  ＴＳデコーダ
１０３、４０３  ＡＶデコーダ
１０４、４０４  ＣＰＵ
１０５  ＰＭＴ受信終了判定部
１０６、４０６  選局指示部
２０１  サービスＩＤ表示
【図１】
0003842959.tif 000002
【図２】
0003842959.tif 000003
【図３】
0003842959.tif 000004
【図４】
0003842959.tif 000005